(57)【特許請求の範囲】
【請求項１】
製材後の木材表面に柿渋液を１回もしくは数回塗布する塗布工程と、塗布工程後の木材表面を乾燥させる乾燥工程と、乾燥工程後の木材表面を焼成器の炎で、火燃温度、火燃時間を任意に設定することで火燃して焦げめを付ける焼成工程と、焼成工程後の木材表面に仕上げ用として柿渋液を塗布し、経年代の炭化色相を呈するようにする仕上げ塗布工程とから成ることを特徴とする木材の表面仕上げ工法。
【発明の詳細な説明】
【０００１】
【発明の属する技術分野】
本発明は、木造建築等の柱材・梁材・桁材・天井張板材等に使用される製材後の木材表面に年代を経た例えば古代色を呈するような着色を付することで、使用に際し格調高いような印象を与え得る木材を形成するための木材の表面仕上げ工法に関するものである。
【０００２】
【従来の技術】
従来、木材の表面仕上げ工法としては、例えば特開昭５７−７７５１１号公報に開示されているように、石油系有機物による化学物質である例えばオーラミン・メタニールイエロー・クリソフェニン等の水性着色塗料を、カンナ等で平滑加工された木材の表面に均一に塗布して乾燥した後、焦めの着かない程度に表面を焼成加工することで木材表面に炭化部分を形成する技術が提案されている。
【０００３】
【発明が解決しようとする課題】
しかしながらこのような従来における木材の表面仕上げ工法では、石油系有機物の水性着色塗料を使用するために、新しい木材に対し天然素材を用いた自然に優しい工法で格調高い古代色を均一に付与することが不可能である。しかも水性着色塗料は、石油系有機物の化学物質であり塗装作業を行なう作業者等の人体に対して非常に有害なものであるため作業に際し常に危険が伴う等の問題点を有していた。そればかりでなく、それを使用して構築された家屋等の居住使用者等の人体に対して非常に有害なもの（いわゆるシック症候群と言われる）となることもあり、社会的な問題ともなっている。
【０００４】
そこで本発明は叙上のような従来存した諸事情に鑑み創出されたもので、人体に有害な石油系有機物等の化学物質を使用せず、天然素材を用いた自然に優しい工法によって、新しい木材の表面に対して古代色を呈するような格調高く美しく仕上げることができ、加工処理後の木材の使用によっても二次的な障害その他が生じることがない木材の表面仕上げ工法を提供することを目的とする。
【０００５】
【課題を解決するための手段】
上述した課題を解決するため、本発明にあっては、製材後の例えば平滑仕上げの木材Ｐ表面に柿渋液Ｑを１回もしくは数回塗布する塗布工程２と、塗布工程２後の木材Ｐ表面を乾燥する乾燥工程３と、乾燥工程３後の木材Ｐ表面を例えばガスバーナー・トーチランプ等の焼成器Ｓの炎で火燃して焦げめＲを付ける焼成工程４と、焼成工程４後の木材Ｐ表面に仕上げ用として柿渋液Ｑを塗布する仕上げ塗布工程５とから成るものである。
焼成工程４は、木材Ｐ表面の色の調整を可能にすべく焼成器Ｓの炎による木材Ｐの火燃温度、火燃時間を任意に設定可能とすることができる。
【０００６】
以上のように構成された本発明に係る木材の表面仕上げ工法にあって、製材後の木材Ｐ表面に柿渋液Ｑを塗布する塗布工程２、および塗布工程２後の木材Ｐ表面を乾燥させる乾燥工程３後における木材Ｐ表面を焼成器Ｓの炎で火燃して焦げめＲを付ける焼成工程４を順次に経ることで、柿渋液Ｑが塗布されている木材Ｐの表面を炭化色相による年代を経たような古代色に発色させる。
木材Ｐの火燃温度、火燃時間を任意に設定可能とした焼成工程４は、木材Ｐの表面を例えば深黒色・深灰色・浅灰色等の如く炭化色相深度の異なる古代色を付与させる。
【０００７】
【発明の実施の形態】
以下、図面を参照して本発明の一実施の形態を説明すると、図１において示される符号１は、例えば杉・檜・槙等の製材後の各種木材Ｐの表面に古代色を呈するように仕上げるための木材Ｐの表面仕上げ工法の手順を示すものであり、製材後の好ましくは平滑仕上げ処理を施した木材Ｐ表面に柿渋液Ｑを１回もしくは数回塗布する塗布工程２と、塗布工程２後の木材Ｐ表面を自然にあるいは人工的に乾燥する乾燥工程３と、乾燥工程３後の木材Ｐ表面をガスバーナー・トーチランプ等の如き焼成器Ｓの炎で火燃して焦げめＲを付ける焼成工程４とから成り、さらには焼成工程４後の木材Ｐ表面に仕上げ用として柿渋液Ｑを塗布する仕上げ塗布工程５を施すものである。
【０００８】
図１に示すように、塗布工程２によって、カンナ等による平滑仕上げの木材Ｐ表面に所謂柿渋ジュースとして市販されている天然素材による柿渋液Ｑを、例えば刷毛による手塗り、スプレーによる吹き付け、または柿渋液Ｑへの直接浸漬等により１回もしくは数回にわたって塗布した後に、乾燥工程３で木材Ｐ表面を自然乾燥し、木材Ｐ表面を焼成器Ｓの炎で火燃して焼き焦がすことで均一な焦げめＲを付けることで木材Ｐの表面に炭化色相による例えば深黒色・深灰色・浅灰色等の如き古代色を呈するように順次に処理をするものとしてある。このように自然乾燥させた木材Ｐの表面を焼成器Ｓの炎によって緩い焼き付けすなわち炙り付けを行なうことで木材Ｐの表面組織内に残存している柿渋液Ｑの成分が火燃されて木材Ｐ表面に炭化色相による年代を経たような古代色が呈されるものとしてある。
【０００９】
そして焼成工程４後の木材Ｐ表面の古代色を整わせるために仕上げ塗布工程５により仕上げ用としての柿渋液Ｑを例えば刷毛による手塗り、スプレーによる吹き付け、または柿渋液Ｑへの直接浸漬等により１回乃至複数回で塗布するものとしてある。
【００１０】
また、焼成工程４は、木材Ｐ表面の色の調整を可能にすべく任意の火燃温度、火燃時間に設定可能としてある。すなわち焼成器Ｓの炎による木材Ｐの火燃温度と火燃時間を任意に設定することによって木材Ｐの表面組織内に残存している柿渋液Ｑの成分の酸化反応の進行を制御することが可能で、これによって木材Ｐの炭化色相深度を任意に調整できるものとしている。
【００１１】
尚、柿渋は天然物であり、柿渋を破砕搾汁することによって作製された柿渋液Ｑの成分は、糖類・エタノール・酢酸・柿渋タンニン等であり、このうち加水分解を受けない縮合型タンニンである柿渋タンニン成分が木材Ｐに対する防腐・抗菌作用としての機能を有している。
【００１２】
次に以上のように構成された実施の形態についての使用の一例を図１、図２に基づき説明する。本発明に係る木材Ｐの表面仕上げ工法を、木材Ｐとして例えば図２に示すような建物の柱材に使用する場合には、先ず木材Ｐである柱材表面をカンナ等によって平滑仕上げにしておく。塗布工程２によって柱材表面に天然素材の柿渋液Ｑを、例えば刷毛による手塗り、スプレーによる吹き付け、または柿渋液Ｑへの直接浸漬等によって１回もしくは数回にわたって塗布する。乾燥工程３で柱材表面を自然乾燥した後、焼成工程４においてガスバーナー・トーチランプ等の焼成器Ｓの炎で火燃して焼き焦がすことで均一な焦げめＲを付ける。これにより柱材表面は均一に炭化色相による古代色を呈するのである。そして焼成工程４後の柱材表面の色を整わせるために仕上げ塗布工程５により仕上げ用としての柿渋液Ｑを例えば１回塗布すれば良い。
【００１３】
尚、本実施の形態では木材Ｐの表面仕上げ工法を木造建物の柱材に採用しているが、その他の構成として図示を省略したが、木造建築の梁材・桁材・天井張板材・壁材等その他の建築資材に採用することも可能である。
【００１４】
【発明の効果】
本発明は以上のように構成されているために、人体に有害な石油系有機物等の化学物質を使用せずに木材Ｐの表面に防腐、抗菌処理を施すことができ、しかも天然素材を用いる自然に優しい工法であり、また年代を経た古代色を呈するような新しい木材Ｐを格調高い印象を得られるものとして美しく仕上げることができる。そればかりでなく、このようにして処理された木材Ｐを使用して例えば家屋その他を構築した場合でも、そこで居住使用する居住者に対していわゆるシック症候群等を発症させる虞もなく、安心して安全に居住できるものとなし得るのである。
【００１５】
すなわちこれは本発明において、製材後の木材Ｐ表面に柿渋液Ｑを１回もしくは数回塗布する塗布工程２と、塗布工程２後の木材Ｐ表面を乾燥させる乾燥工程３と、乾燥工程３後の木材Ｐ表面を焼成器Ｓの炎で火燃して焦げめＲを付ける焼成工程４と、焼成工程４後の木材Ｐ表面に仕上げ用として柿渋液Ｑを塗布する仕上げ塗布工程５とから成るからであり、これによって、人体に無害な天然素材を用いた自然に優しい簡単な工法で新しい木材Ｐの表面に対し格調高く美しい炭化色相による古代色を容易に付与することができる。また本発明の柿渋液Ｑによって木材Ｐに対する防腐・殺菌作用を十分に発揮させることもでき、しかも従来の石油系有機物等の化学物質に比べてエコロジー的にも優しいものとなる。
【００１６】
焼成工程４は、木材Ｐ表面の色の調整を可能にすべく焼成器Ｓの炎による木材Ｐの火燃温度、火燃時間を任意に設定可能としたので、例えば深黒色・深灰色・浅灰色等の如く炭化色相深度の異なる古代色を呈した種々の木材Ｐの提供を可能にするものである。しかも炭化色相深度の異なる古代色を呈する表面に木材Ｐの木目部模様が立体的に浮き出たような深みのある美しい外観を実現することができ、年代を経た印象を受けても、木材Ｐ自体は新しいものであるから、極めて丈夫であり、そのために例えば木造建築等の柱材・梁材・桁材・天井張板材等としてもその組み込み使用に際し全く不都合なく使用可能なものとできるのである。
【図面の簡単な説明】
【図１】本発明の実施の一形態における木材の表面仕上げ工法の手順を示すフローチャートである。
【図２】本発明を実施する工程の概略を示した斜視図である。
【符号の説明】
Ｐ…木材                            Ｑ…柿渋液
Ｒ…焦げめ                          Ｓ…焼成器
１…表面仕上げ工法の手順            ２…塗布工程
３…乾燥工程                        ４…焼成工程
５…仕上げ塗布工程
【図１】
0003557407.tif 000002
【図２】
0003557407.tif 000003